(57)【要約】【課題】被検眼の前眼部に係る複数種類の撮影を好適に行うことが可能な仕組みを提供する。【解決手段】被検眼Ｅの前眼部における撮影の目的に応じた異なる２つ以上の撮影モードの中から所定の撮影モードを設定するＣＰＵ７１と、前記所定の撮影モードとして第１の撮影モードが設定された場合に、対物レンズ４２を介して撮影光軸上から被検眼Ｅの前眼部を照明する撮影光源部Ｏ１と、前記所定の撮影モードとして第２の撮影モードが設定された場合に、対物レンズ４２を介さず撮影光軸外から被検眼Ｅの前眼部を照明する前眼照明白色ＬＥＤ４３ａ等を備える。【選択図】図１
2015027357.tif 000002
【特許請求の範囲】
【請求項１】
被検眼を撮影して前記被検眼に係る画像を撮像する眼科撮像装置であって、
前記被検眼の前眼部における前記撮影の目的に応じた異なる２つ以上の撮影モードの中から所定の撮影モードを設定する設定手段と、
前記設定手段において前記所定の撮影モードとして第１の撮影モードが設定された場合に、撮影光軸上から前記被検眼の前眼部を照明する第１の照明手段と、
前記設定手段において前記所定の撮影モードとして第２の撮影モードが設定された場合に、撮影光軸外から前記被検眼の前眼部を照明する第２の照明手段と、
を有することを特徴とする眼科撮像装置。
【請求項２】
前記第１の照明手段は、環状光を前記被検眼に集光させるように構成された照明光学系を介して照明を行うことを特徴とする請求項１に記載の眼科撮像装置。
【請求項３】
前記第２の照明手段は、光を拡散させるための光拡散部材を介して照明を行うことを特徴とする請求項１または２に記載の眼科撮像装置。
【請求項４】
前記第２の撮影モードは、前眼虹彩像を撮影することを目的とする撮影モードであることを特徴とする請求項１乃至３のいずれか１項に記載の眼科撮像装置。
【請求項５】
前記第２の撮影モードは、前眼周辺像を撮影することを目的とする撮影モードであることを特徴とする請求項１乃至３のいずれか１項に記載の眼科撮像装置。
【請求項６】
前記第１の撮影モードは、前眼徹照像を撮影することを目的とする撮影モードであることを特徴とする請求項１乃至５のいずれか１項に記載の眼科撮像装置。
【請求項７】
被検眼を撮影して前記被検眼に係る画像を撮像する眼科撮像装置の制御方法であって、
前記被検眼の前眼部における前記撮影の目的に応じた異なる２つ以上の撮影モードの中から所定の撮影モードを設定手段で設定するステップと、
前記設定手段において前記所定の撮影モードとして第１の撮影モードが設定された場合に、撮影光軸上から前記被検眼の前眼部を照明するステップと、
前記設定手段において前記所定の撮影モードとして第２の撮影モードが設定された場合に、撮影光軸外から前記被検眼の前眼部を照明するステップと、
を有することを特徴とする眼科撮像装置の制御方法。
【発明の詳細な説明】
【技術分野】
【０００１】
本発明は、被検眼を撮影して当該被検眼に係る画像を撮像する眼科撮像装置及びその制御方法に関するものである。
【背景技術】
【０００２】
従来の眼科撮像装置は、被検眼の眼底部を撮影することに特化して光学系の配置が行われている。しかしながら、眼科撮像装置と被検者との距離を離すことによって被検眼の前眼部の撮影も可能であり、眼科撮像装置の光学本体と被検者との距離の調整量を大きくすることにより、被検眼の前眼部の撮影も可能とした眼科撮像装置が広く知られている。
【０００３】
例えば、下記の特許文献１では、前眼部照明光源の前方に可視光カットフィルタを挿抜自在に配置することにより、１つの光源で被検眼の前眼部の観察と撮影を実現している。つまり、特許文献１では、被検眼の前眼部の観察時には、可視光カットフィルタを挿入することにより当該前眼部を赤外光で照明している。また、特許文献１では、被検眼の前眼部の撮影時には、可視光カットフィルタを抜去することにより当該前眼部を光軸上から可視光等で照明し、その眼底反射光によって徹照像を得るようにしている。
【先行技術文献】
【特許文献】
【０００４】
【特許文献１】特開平６−２０５７４２号公報
【発明の概要】
【発明が解決しようとする課題】
【０００５】
しかしながら、上記の特許文献１に記載の技術では、被検眼の前眼部の撮影において徹照像しか撮影できず、例えば前眼虹彩像や前眼周辺像を得ることは困難であった。即ち、上記の特許文献１に記載の技術では、被検眼の前眼部に係る複数種類の撮影を好適に行うことが困難であった。
【０００６】
本発明は、このような問題点に鑑みてなされたものであり、被検眼の前眼部に係る複数種類の撮影を好適に行うことが可能な仕組みを提供することを目的とする。
【課題を解決するための手段】
【０００７】
本発明の眼科撮像装置は、被検眼を撮影して前記被検眼に係る画像を撮像する眼科撮像装置であって、前記被検眼の前眼部における前記撮影の目的に応じた異なる２つ以上の撮影モードの中から所定の撮影モードを設定する設定手段と、前記設定手段において前記所定の撮影モードとして第１の撮影モードが設定された場合に、撮影光軸上から前記被検眼の前眼部を照明する第１の照明手段と、前記設定手段において前記所定の撮影モードとして第２の撮影モードが設定された場合に、撮影光軸外から前記被検眼の前眼部を照明する第２の照明手段と、を有する。
また、本発明は、上述した眼科撮像装置の制御方法を含む。
【発明の効果】
【０００８】
本発明によれば、被検眼の前眼部に係る複数種類の撮影を好適に行うことができる。
【図面の簡単な説明】
【０００９】
【図１】本発明の第１の実施形態に係る眼科撮像装置の概略構成の一例を示す模式図である。
【図２】本発明の第１の実施形態を示し、図１に示す前眼撮影照明光源ユニットの詳細な構成の一例を示す図である。
【図３】本発明の第１の実施形態を示し、前眼虹彩撮影における眼科撮像装置の制御方法の処理手順の一例を示すフローチャートである。
【図４】本発明の第１の実施形態を示し、照明光源の光束分布の一例を示す図である。
【図５】本発明の第１の実施形態を示し、被検眼の前眼部撮影における眼科撮像装置の制御方法の処理手順の一例を示すフローチャートである。
【図６】本発明の第２の実施形態を示し、被検眼の前眼部撮影における眼科撮像装置の制御方法の処理手順の一例を示すフローチャートである。
【発明を実施するための形態】
【００１０】
以下に、図面を参照しながら、本発明を実施するための形態（実施形態）について説明する。
【００１１】
（第１の実施形態）
まず、本発明の第１の実施形態について説明を行う。
【００１２】
図１は、本発明の第１の実施形態に係る眼科撮像装置の概略構成の一例を示す模式図である。図１に示す眼科撮像装置１００は、被検眼Ｅを撮影して当該被検眼Ｅに係る画像を撮像する装置である。なお、図１には、被検者の各部のうち被検眼Ｅのみを図示している。
【００１３】
図１に示す眼科撮像装置１００は、当該眼科撮像装置１００の全体を支えるベース部（１〜５）と、撮影機構を有するヘッド部（６）と、医師等の操作者が操作するための操作部（８）を備えて構成されている。
【００１４】
眼科撮像装置１００のベース部は、ベース１、顔受け２、顎受け３、ｚ−ｘステージ４、及び、ｙステージ５を有して構成されている。
被検者は、顔受け２に額を合わせ、顎受け３に顎を乗せ、撮影時に顔及び眼を静止させる。ｚ−ｘステージ４は、ベース１上をｚ−ｘ方向に移動可能であり、ｙステージ５は、ｙ方向に移動可能である。
【００１５】
眼科撮像装置１００のヘッド部は、光学本体６を有して構成されている。この光学本体６は、被検眼Ｅを照明して撮影を行い、その結果得られる被検眼Ｅに係る像を被検眼画像として記録する一連の構成を有している。また、眼科撮像装置１００のヘッド部は、ｚ−ｘステージ４とｙステージ５の移動によって、ベース１上で前後／左右／上下に移動して被検者に対して光学本体６の位置合わせを行うことが可能である。
【００１６】
以下に、光学本体６の詳細な構成について説明する。
光学本体６の光学系は、大まかに分けると、撮影光源部Ｏ１、観察光源部Ｏ２、照明光学系Ｏ３、撮影／照明光学系Ｏ４、撮影光学系Ｏ５、内部固視灯部Ｏ６から構成される。撮影光源部Ｏ１、または、観察光源部Ｏ２によって射出された光束は、照明光学系Ｏ３、撮影／照明光学系Ｏ４を経て、被検者の被検眼Ｅを照明し、その像は、撮影／照明光学系Ｏ４、撮影光学系Ｏ５を経て撮像素子５５に結像される。
【００１７】
撮影光源部Ｏ１は、以下のような構成により、可視光である白色光のリング照明を作り出す。
撮影光源１１は、例えば、可視光である白色光を発光する白色ＬＥＤを円環状に配置した白色ＬＥＤアレイによって構成されている。即ち、撮影光源１１からの白色光は、環状光となる。
撮影コンデンサレンズ１２は、一般的な球面レンズである。
撮影リングスリット１３は、環状の開口を持った平板である。
撮影水晶体バッフル１４は、これも環状の開口を持った平板である。
撮影光源１１からの白色光の光束は、撮影コンデンサレンズ１２によって被検眼Ｅの眼底に向けて集光され、撮影リングスリット１３によって被検眼Ｅの前眼部を通過する際の光束形状が環状となるよう成形される。さらに、撮影水晶体バッフル１４によって、被検眼Ｅの水晶体へ投影される光束を制限し、眼底像に不要な被検眼Ｅの水晶体からの反射光が混入することを防いでいる。
【００１８】
観察光源部Ｏ２は、以下のような構成により、赤外光のリング照明を作り出す。
観察光源２１は、例えば、ハロゲンランプやＬＥＤなど連続発光可能な光源であり、素子の特性や光学フィルタによって赤外光を発光する。
観察コンデンサレンズ２２は、一般的な球面レンズである。
観察リングスリット２３は、環状の開口を持った平板である。
観察水晶体バッフル２４は、これも環状の開口を持った平板である。
この観察光源部Ｏ２の各構成は、撮影光源部Ｏ１の各構成と光源の種類が異なるだけである。即ち、観察コンデンサレンズ２２で観察光源２１からの光束を被検眼Ｅの眼底に向けて集光し、観察リングスリット２３で被検眼Ｅの前眼部での光束の形状を整え、観察水晶体バッフル２４で眼底像に被検眼Ｅの水晶体からの反射光が混入するのを防ぐ。
【００１９】
照明光学系Ｏ３は、以下のような構成により、撮影光源部Ｏ１、観察光源部Ｏ２で生成された光束をリレーするとともに、眼底像の焦点合わせのための指標像を造りこむ。
ダイクロイックミラー３１では、撮影光源部Ｏ１で生成された可視光による光束は反射し、観察光源部Ｏ２で生成された赤外光による光束は透過させて照明光学系Ｏ３に導光する。
第１の照明リレーレンズ３２、及び、第２の照明リレーレンズ３４は、これらによってリング照明を被検眼Ｅに結像する。
スプリットユニット３３は、フォーカス指標光源３３ａ、プリズム３３ｂ、フォーカス指標マスク３３ｃ、スプリットシフト駆動モータＭ１、及び、スプリット位置センサＳ１を備えて構成されている。フォーカス指標光源３３ａは、フォーカス指標を投影するための光を発する。プリズム３３ｂは、光を分割等するためのものである。フォーカス指標マスク３３ｃは、フォーカス指標の外形を示すものである。スプリットシフト駆動モータＭ１は、３３ａ〜３３ｃの構成を図中の矢印方向に移動させることでフォーカス指標を光軸方向にシフト移動させる（フォーカス指標の焦点状態を変化させる）ためのものである。スプリット位置センサＳ１は、３３ａ〜３３ｃの構成の停止位置を検出するためのものである。
スプリット挿抜駆動モータＭ２は、スプリットユニット３３を照明光学系Ｏ３に対して進退させるためのモータである。具体的に、スプリット挿抜駆動モータＭ２は、被検眼Ｅの観察時には、スプリットユニット３３を照明光学系Ｏ３に進入させて観察像の中にスプリット指標を投影する。また、スプリット挿抜駆動モータＭ２は、被検眼Ｅの撮影時には、スプリットユニット３３を照明光学系Ｏ３から抜去させ、撮影像の中にフォーカス指標が写りこむことがないように制御する。
角膜バッフル３５は、眼底像に不要な被検眼Ｅの角膜からの反射光の写りこみを防ぐためのものである。
【００２０】
撮影／照明光学系Ｏ４は、以下のような構成により、被検眼Ｅに対して照明光束を投影するとともに、被検眼Ｅに係る像を導出する。
穴あきミラー４１は、外周部がミラー、中央部が穴となっている。照明光学系Ｏ３から導かれた光束は、穴あきミラー４１のミラー部分で反射して、対物レンズ４２を介して被検眼Ｅの眼底を照明する。当該照明により得られた被検眼Ｅの眼底像は、対物レンズ４２を戻り、穴あきミラー４１の中央部の穴を通って撮影光学系Ｏ５に導出される。
前眼照明光源ユニット４３は、被検眼Ｅの前眼部を照明するための光源である。
前眼照明光拡散板４４は、前眼照明光源ユニット４３からの光を拡散させるための拡散板である。
【００２１】
ここで、前眼照明光源ユニット４３の詳細な構成について説明を行う。
図２は、本発明の第１の実施形態を示し、図１に示す前眼撮影照明光源ユニットの詳細な構成の一例を示す図である。
図２に示すように、前眼照明光源ユニット４３は、前眼照明光源基板４３ｐと、前眼照明白色ＬＥＤ４３ａ〜４３ｄと、前眼照明赤外ＬＥＤ４３ｅ〜４３ｈを備えて構成されている。前眼照明光源基板４３ｐは、図１に示す対物レンズ４２の外周部に配された円環状のプリント基板である。前眼照明白色ＬＥＤ４３ａ〜４３ｄ及び前眼照明赤外ＬＥＤ４３ｅ〜４３ｈは、前眼照明光源基板４３ｐ上に円環状に実装されている。ここで、前眼照明赤外ＬＥＤ４３ｅ〜４３ｈは、被検眼Ｅの前眼部を赤外光で照明するものであり、前眼照明白色ＬＥＤ４３ａ〜４３ｄは、被検眼Ｅの前眼部を可視光で照明するものである。前眼照明白色ＬＥＤ４３ａ〜４３ｄの点灯及び消灯、並びに、前眼照明赤外ＬＥＤ４３ｅ〜４３ｈの点灯及び消灯は、後述するＣＰＵ７１によって制御される。
図１に示す前眼照明光拡散板４４は、前眼照明白色ＬＥＤ４３ａ〜４３ｄや前眼照明赤外ＬＥＤ４３ｅ〜４３ｈからの光束を拡散することにより、被検眼Ｅの前眼部に均一な拡散光（白色光や赤外光）を照射するために機能する。なお、図２に示す例では、前眼照明白色ＬＥＤ４３ａ〜４３ｄ及び前眼照明赤外ＬＥＤ４３ｅ〜４３ｈを、それぞれ、４個ずつ設けた例を示しているが、本実施形態においてはこれに限定されるものではない。これらの個数は、均一な照明を作り出すことと、撮影に十分な光量を発光するために決定されるものであり、４個以外の個数であってもよい。
【００２２】
ここで、再び、図１の説明に戻る。
撮影光学系Ｏ５は、以下のような構成により、被検眼Ｅの眼底像の焦点調節を行った上で撮像素子５５に結像を行う。
視度補正レンズ５１は、フォーカスレンズ５２で焦点調整困難な強度の近視・遠視の被検眼Ｅの眼底にピントを合わせるために、光軸上に進退可能に設置される凸レンズ（５１ａ）及び凹レンズ（５１ｂ）を備える。
視度補正レンズ進退駆動モータＭ４は、被検者が強度の近視である場合には視度補正−レンズ５１ｂを進入させ、被検者が強度の遠視である場合には視度補正＋レンズ５１ａを撮影光学系Ｏ５に対して挿入させる。
フォーカスレンズ５２は、穴明きミラー４１の中央の穴を通過した撮影光束の焦点調節を行うためのレンズであり、図中の矢印方向に移動することで焦点調節を行う。
フォーカスレンズ駆動モータＭ３は、フォーカスレンズ５２を駆動して焦点を合わせるためのものであり、フォーカスレンズ位置センサＳ３は、フォーカスレンズ５２の停止位置を検出するためのものである。
撮影レンズ５３は、ここまでの光束を結像するためのレンズである。
ハーフミラー５４は、撮影光束を分割する。
撮像素子５５は、撮影光を光電変換する。撮像素子５５で得られた電気信号は、デジタルデータとすべく画像処理部７２によってＡ／Ｄ変換される。そして、赤外観察時には、例えば画像処理部７２による画像処理後の画像がモニタ７３に表示され、撮影後には、例えば画像処理部７２による画像処理後の画像が記録媒体７４に記録される（当該画像がモニタ７３に表示されてもよい）。
【００２３】
内部固視灯部Ｏ６は、ハーフミラー５４によって、撮影光学系Ｏ５から光路が分かれて、その光路に対して内部固視灯ユニット６１が対向している。
内部固視灯ユニット６１は、複数のＬＥＤによって構成され、検査者（操作者）が選択した固視部に対応した位置のＬＥＤを点灯させる。そして、点灯したＬＥＤを被検者が固視することにより、検査者は所望の向きの眼底像等を得ることができる。
【００２４】
さらに、光学本体６には、ＣＰＵ７１、画像処理部７２、モニタ７３、記録媒体７４が設けられている。
ＣＰＵ７１は、必要に応じて眼科撮像装置１００における各構成を制御することにより、眼科撮像装置１００における動作を統括的に制御する。
画像処理部７２は、撮像素子５５で得られた電気信号を画像処理して、被検眼Ｅに係る画像を生成等する。
モニタ７３は、画像処理部７２で得られた画像等を表示するものである。さらに、モニタ７３は、例えば、ＣＰＵ７１の制御に基づいて、各種の情報を表示する。
記録媒体７４は、画像処理部７２で得られた画像等を記録するものである。さらに、記録媒体７４は、例えば、ＣＰＵ７１の制御に基づいて各種の情報を記録し、また、ＣＰＵ７１が処理するプログラム等を記録する。
【００２５】
操作部８は、ジョイスティック８１、及び、撮影モード切り換えスイッチ８２を有して構成されている。
ジョイスティック８１は、ベース１の所定の位置に配置されている。このジョイスティック８１は、全体が前後左右方向に傾倒するよう構成されており、撮影スイッチ８１ａ、上下動ダイアル８１ｂ、及び、フォーカスダイアル８１ｃを有して構成されている。操作者は、ヘッド部（６）を前後左右に動かす時にはジョイスティック８１全体を所望の方向に傾倒させる。また、操作者は、被検眼Ｅの撮影をする時には撮影スイッチ８１ａを押し下げ、ヘッド部（６）を上下方向に動かす時には上下動ダイアル８１ｂを回転させ、フォーカス状態を変更する時にはフォーカスダイアル８１ｃを回転させる。これらの操作は、全て、不図示のセンサを介して、ＣＰＵ７１において検知され、ＣＰＵ７１は、必要に応じて、不図示のｘ／ｙ／ｚアクチュエータを駆動したり、スプリット挿抜駆動モータＭ２やフォーカスレンズ駆動モータＭ３を駆動したりする。なお、撮影スイッチ８１ａは、二段階のスイッチとなっている。撮影スイッチ８１ａの一段階目のスイッチは、例えばＡＥ（自動露光量調整）作動やＡＦ（自動焦点調整）作動などの撮影準備動作の作動を入力し、撮影スイッチ８１ａの二段階目のスイッチは、撮影動作の作動を入力するよう割り付けられている。
撮影モード切り換えスイッチ８２は、ｚ−ｘステージ４上の所定の位置に配置されている。この撮影モード切り換えスイッチ８２は、押すたびに、撮影モードが"眼底撮影"→"前眼徹照撮影"→"前眼虹彩撮影"→"前眼外眼撮影"→"眼底撮影"の順に切り替わるようになっている。ここで、ＣＰＵ７１は、操作者による撮影モード切り換えスイッチ８２の操作入力を検知し、当該検知の結果に基づいて、被検眼Ｅの前眼部における撮影の目的に応じた異なる２つ以上の撮影モードの中から実際に撮影を行う所定の撮影モードを設定する設定手段を構成する。
【００２６】
次に、被検眼Ｅの前眼部の撮影モードにおける撮影動作について説明を行う。
【００２７】
前眼徹照撮影は、被検眼Ｅの水晶体の混濁を観察するための撮影法であり、被検眼Ｅの正面から撮影光を発光し、被検眼Ｅの水晶体を通過した眼底反射光が再度水晶体を通過した際のその像に基づく画像を記録する。このときの撮影光としては、撮影光源部Ｏ１によって射出される撮影光軸上の白色光を用いる。
【００２８】
前眼虹彩撮影は、被検眼Ｅの瞳孔周辺の虹彩部を観察するための撮影法であり、瞳孔が縮瞳した状態であれば被検眼Ｅの虹彩部が拡大し、より観察性の良い画像が得られる。この前眼虹彩撮影における眼科撮像装置１００の動作方法を図３を用いて以下に説明する。
【００２９】
図３は、本発明の第１の実施形態を示し、前眼虹彩撮影における眼科撮像装置の制御方法の処理手順の一例を示すフローチャートである。
まず、図３に示すステップＳ１００の「ＳＴＡＲＴ」は、操作者により撮影モード切り換えスイッチ８２が操作されて"前眼虹彩撮影"が選択され、これをＣＰＵ７１が検知することが契機となる。
【００３０】
前眼虹彩撮影が開始すると、ステップＳ１０１において、ＣＰＵ７１は、操作者により撮影スイッチ８１ａが操作されて、撮影スイッチ８１ａの一段階目のスイッチであるスイッチＳＷ１がオンしたか否かを判断する。
この判断の結果、スイッチＳＷ１がオンしていない（即ちオフである）場合には、スイッチＳＷ１がオンするまで、ステップＳ１０１で待機する。
【００３１】
一方、ステップＳ１０１の判断の結果、スイッチＳＷ１がオンした場合には、ステップＳ１０２に進む。
ステップＳ１０２に進むと、ＣＰＵ７１は、被検眼Ｅに対して縮瞳照明発光を行う制御をする。具体的に、ＣＰＵ７１は、前眼虹彩撮影を行う前の被検眼Ｅの観察時に、撮影光源部Ｏ１が発する白色光を被検眼Ｅ（被検眼Ｅの前眼部）に対して照射する制御を行って、被検眼Ｅの縮瞳を促して虹彩部を拡大させる。
【００３２】
続いて、ステップＳ１０３において、ＣＰＵ７１は、被検眼Ｅの縮瞳状態を判断する。具体的に、ＣＰＵ７１は、撮像素子５５に結像された被検眼Ｅの観察像を画像処理部７２を介して解析し、瞳孔径が閾値未満となったか否かを判断する（本実施形態では、瞳孔径が虹彩部の観察に十分な小ささになったか否かを判断する）。
この判断の結果、瞳孔径が閾値未満となっていない場合には、瞳孔径が閾値未満となるまで、ステップＳ１０３で待機する。
【００３３】
一方、ステップＳ１０３の判断の結果、瞳孔径が閾値未満となった場合には、ステップＳ１０４に進む。
ステップＳ１０４に進むと、ＣＰＵ７１は、縮瞳照明を消灯し、且つ、前眼照明光源ユニット４３の前眼照明赤外ＬＥＤ４３ｅ〜４３ｈを点灯する制御を行う。この前眼照明赤外ＬＥＤ４３ｅ〜４３ｈを点灯することにより、被検眼Ｅの前眼部を赤外光で照明し、被検眼Ｅの前眼部の観察を行える。
【００３４】
続いて、ステップＳ１０５において、ＣＰＵ７１は、操作者により撮影スイッチ８１ａが操作されて、撮影スイッチ８１ａの二段階目のスイッチであるスイッチＳＷ２がオンしたか否かを判断する。
この判断の結果、スイッチＳＷ２がオンしていない（即ちオフである）場合には、スイッチＳＷ２がオンするまで、ステップＳ１０５で待機する。
【００３５】
一方、ステップＳ１０５の判断の結果、スイッチＳＷ２がオンした場合には、ステップＳ１０６に進む。
ステップＳ１０６に進むと、ＣＰＵ７１は、ステップＳ１０４で点灯させた前眼照明赤外ＬＥＤ４３ｅ〜４３ｈを消灯した上で、前眼照明光源ユニット４３の前眼照明白色ＬＥＤ４３ａ〜４３ｄを点灯させて、撮影動作を行う。
【００３６】
その後、ステップＳ１０７において、ＣＰＵ７１は、ステップＳ１０６の撮影動作により得られた画像を記録媒体７４に記録し或いはモニタ７３に表示等した後、図３に示すフローチャートの処理を終了する。
【００３７】
この図３に示すフローチャートの処理を経ることにより、前眼虹彩撮影において、瞳孔を縮瞳させて虹彩部の面積を大きくした撮影ができるとともに、必要量だけの白色光の投光で撮影が終了するので、被検者が感じる眩しさは小さくて済む。
なお、図３に示すフローチャートでは、縮瞳照明消灯の判定基準として瞳孔径を用いるものであった（Ｓ１０３）。しかしながら、本実施形態においては、この態様に限定されるものではなく、例えば、縮瞳照明（可視光の照明）の点灯時間が所定時間を経過したか否かによって縮瞳照明を消灯するか否かを判定する判定基準を用いることも可能である。また、例えば、縮瞳照明消灯の判定基準として、縮瞳照明の点滅回数などの他の判定基準を用いることも可能である。
また、本実施形態においては、図３のステップＳ１０４の処理を行った後、眼科撮像装置１００の撮影準備が整ったと判定し、図３のステップＳ１０５の処理を省き、直接、図３のステップＳ１０６の撮影動作に移行しても構わない。
【００３８】
前眼外眼撮影（前眼周辺像の撮影）は、一連の眼底検査の中で、その被検者の顔立ちを紐付けるためや、被検眼Ｅの眼球周囲の状態を記録するための撮影法である。したがって、直接反射の少ない、前眼照明白色ＬＥＤ４３ａ〜４３ｄを用いた撮影を行う。
【００３９】
次に、照明光源による照明の性質の違いについて説明する。
図４は、本発明の第１の実施形態を示し、照明光源の光束分布の一例を示す図である。
本実施形態においては、被検眼Ｅの照明光として、撮影光源部Ｏ１によって発生する集光白色光、観察光源部Ｏ２によって発生する集光赤外光、前眼照明光源ユニット４３によって発生する拡散白色光及び拡散赤外光がある。
【００４０】
図４中の矢印は、照明光源の光束分布のベクトルを示している。
撮影光源部Ｏ１や観察光源部Ｏ２によって発生する光は、撮影リングスリット１３や観察リングスリット２３の像を被検眼Ｅの眼底に投影する集光された光である。即ち、これらの光は、図４に示すように、対物レンズ４２を介して撮影光軸上から被検眼Ｅを照明する集光された光である。したがって、これらの光は、指向性を強く持ち、眼底撮影時には瞳孔径程度の径しかない光であり、前眼撮影時には、ヘッド部（６）を被検者から離すことによって、やや広がりを持つが、それでも狭い光束である。指向性を持った光による画像は、影がほとんど発生しないため、フラットでハイコントラストな画像となる。
また、前眼照明光源ユニット４３によって発生する光は、前眼照明光拡散板４４によって拡散され、被検眼Ｅの周辺部まで含めて均一な拡散光となる。即ち、これらの光は、図４に示すように、対物レンズ４２を介さず撮影光軸外から被検眼Ｅを照明する拡散光である。したがって、これらの光は、照明光としては、弱く多方向のベクトルを持った光線の集まりであり、そのような光源から得られる画像は、柔らかい反射光と影によって作られるので柔らかな画像となる。
【００４１】
被検眼Ｅの眼底像は、瞳孔という狭い隙間から照明し、反射率の低い網膜の反射像を撮影するために集光された光が必要になる。被検眼Ｅの徹照像も、同様に、瞳孔を通した光を必要とするので、集光された光が必要になる。
一方、被検眼Ｅの虹彩像や外眼像（前眼周辺像）は、瞳孔を通さない直接的な照明になる。このため、集光された光では、コントラストが高すぎて診断対象には適さない。逆に、拡散された光であれば、柔らかい画像となるため、診断対象に適したものとなる。
【００４２】
次に、第１の実施形態の被検眼Ｅの前眼部撮影における処理手順について説明する。
図５は、本発明の第１の実施形態を示し、被検眼の前眼部撮影における眼科撮像装置の制御方法の処理手順の一例を示すフローチャートである。
この図５に示すフローチャートは、前眼部撮影待機状態となったことを契機としてスタートする（Ｓ２００）。この際、眼科撮像装置１００では、ＣＰＵ７１の制御によって、前眼照明赤外ＬＥＤ４３ｅ〜４３ｈが点灯し、被検眼Ｅの前眼部の観察状態となっているものとする。
【００４３】
そして、ステップＳ２０１において、ＣＰＵ７１は、操作者により撮影スイッチ８１ａが操作されて、撮影スイッチ８１ａの一段階目のスイッチであるスイッチＳＷ１がオンしたか否かを判断する。
この判断の結果、スイッチＳＷ１がオンしていない（即ちオフである）場合には、スイッチＳＷ１がオンするまで、ステップＳ２０１で待機する。
【００４４】
一方、ステップＳ２０１の判断の結果、スイッチＳＷ１がオンした場合には、ステップＳ２０２に進む。
ステップＳ２０２に進むと、ＣＰＵ７１は、前眼照明赤外ＬＥＤ４３ｅ〜４３ｈを消灯し、代わりに、前眼照明白色ＬＥＤ４３ａ〜４３ｄを点灯する制御を行う。
【００４５】
続いて、ステップＳ２０３において、ＣＰＵ７１は、被検眼Ｅの前眼部における測光処理を行う。この測光処理は、被検眼Ｅの前眼部の撮影動作（後工程のＳ２０７）における撮影条件の調整の１つであるＡＥ（自動露光量調整）を行うためのものである。
【００４６】
続いて、ステップＳ２０４において、ＣＰＵ７１は、被検眼Ｅの前眼部における測距処理を行う。この測距処理は、被検眼Ｅの前眼部の撮影動作（後工程のＳ２０７）における撮影条件の調整の１つであるＡＦ（自動焦点調整）を行うためのものである。
【００４７】
このステップＳ２０３及びＳ２０４における撮影条件調整処理は、ステップＳ２０２の処理後に撮像素子５５で得られた画像を、画像処理部７２を介して、ＣＰＵ７１によって処理することによりなされる。このステップＳ２０３及びＳ２０４における撮影条件調整処理を行うＣＰＵ７１は、撮影条件調整手段を構成する。
【００４８】
続いて、ステップＳ２０５において、ＣＰＵ７１は、前眼照明白色ＬＥＤ４３ａ〜４３ｄを消灯し、前眼照明赤外ＬＥＤ４３ｅ〜４３ｈを点灯する制御を行う。ここで、本実施形態においては、ステップＳ２０２からステップＳ２０５までの処理に係る前眼照明白色ＬＥＤ４３ａ〜４３ｄの点灯時間は、数十ｍｓｅｃ程度である。
【００４９】
続いて、ステップＳ２０６において、ＣＰＵ７１は、操作者により撮影スイッチ８１ａが操作されて、撮影スイッチ８１ａの二段階目のスイッチであるスイッチＳＷ２がオンしたか否かを判断する。
この判断の結果、スイッチＳＷ２がオンしていない（即ちオフである）場合には、スイッチＳＷ２がオンするまで、ステップＳ２０６で待機する。
【００５０】
一方、ステップＳ２０６の判断の結果、スイッチＳＷ２がオンした場合には、ステップＳ２０７に進む。
ステップＳ２０７に進むと、ＣＰＵ７１は、ステップＳ２０５で点灯させた前眼照明赤外ＬＥＤ４３ｅ〜４３ｈを消灯した上で、撮影照明白色ＬＥＤ４３ａ〜４３ｄを点灯させて、撮影動作を行う。このステップＳ２０７の撮影動作においては、ステップＳ２０３の処理により調整されたＡＥ（自動露光量調整）やステップＳ２０４の処理により調整されたＡＦ（自動焦点調整）等に基づく撮影が行われる。
【００５１】
その後、ステップＳ２０８において、ＣＰＵ７１は、ステップＳ２０７の撮影動作により得られた画像を記録媒体７４に記録し或いはモニタ７３に表示等した後、図５に示すフローチャートの処理を終了する。
【００５２】
被検眼Ｅの前眼部撮影は、可視光である白色光の下で行われるものである。したがって、撮影条件の調整、つまりＡＥ（自動露光量調整）／ＡＦ（自動焦点調整）といった自動調整動作は、白色光の照明下でやることが望ましい。ここで、赤外光の照明下で撮影条件の調整を行った場合、実際の撮影に用いる白色光との波長差によって、測光値も測距値もズレを生じてしまい、そのズレ量は被写体依存であるので、補正も難しくなる。
【００５３】
そこで、本実施形態では、図５に示すフローチャートのように、被検眼Ｅの前眼部の撮影前（被検眼Ｅの前眼部の観察中）であって、ＡＥ／ＡＦといった撮影条件の調整を行う時のみ、白色光を発光させるようにしている。
かかる構成によれば、被検者が感じる眩しさを最小限に抑えつつ、ＡＥ／ＡＦといった撮影条件の調整の精度を高めることが可能となる。その結果、被検眼Ｅの前眼部における撮影を簡便かつ好適に行うことができるとともに、見えの良い前眼部画像を得ることができる。
【００５４】
また、本実施形態に係る眼科撮像装置１００は、前眼徹照像の撮影を目的とする撮影モード（第１の撮影モード）が設定された場合に、対物レンズ４２を介して撮影光軸上から被検眼Ｅの前眼部を照明する撮影光源部Ｏ１（第１の照明手段）を備えている。この際、撮影光源部Ｏ１は、環状光を被検眼Ｅに集光させるように構成された照明光学系を介して照明を行う。
さらに、本実施形態に係る眼科撮像装置１００は、前眼虹彩像の撮影や前眼周辺像の撮影を目的とする撮影モード（第２の撮影モード）が設定された場合に、対物レンズ４２を介さず撮影光軸外から被検眼Ｅの前眼部を照明する前眼照明白色ＬＥＤ４３ａ〜４３ｄ（第２の照明手段）を備えている。この際、前眼照明白色ＬＥＤ４３ａ〜４３ｄは、光を拡散させるための光拡散部材である前眼照明光拡散板４４を介して照明を行う。
かかる構成によれば、被検眼Ｅの前眼部に係る複数種類の撮影を好適に行うことができる。例えば、前眼虹彩像の撮影において、対物レンズ４２を介して撮影光軸上から被検眼Ｅを照明（即ち眼球正面から照明）した場合には、虹彩部の画像が正反射成分によって白飛びしてしまうという不具合が生じ得るが、本実施形態では、撮影光軸外から被検眼Ｅを照明しているため、このような不具合を回避することが可能である。
【００５５】
（第２の実施形態）
次に、本発明の第２の実施形態について説明を行う。
【００５６】
第２の実施形態に係る眼科撮像装置の概略構成は、図１に示す第１の実施形態に係る眼科撮像装置１００の概略構成と同様である。
【００５７】
以下に、第２の実施形態の被検眼Ｅの前眼部撮影における処理手順について説明する。
図６は、本発明の第２の実施形態を示し、被検眼の前眼部撮影における眼科撮像装置の制御方法の処理手順の一例を示すフローチャートである。
この図６に示すフローチャートは、前眼部撮影待機状態となったことを契機としてスタートする（Ｓ３００）。この際、眼科撮像装置１００では、ＣＰＵ７１の制御によって、前眼照明赤外ＬＥＤ４３ｅ〜４３ｈが点灯し、被検眼Ｅの前眼部の観察状態となっているものとする。
【００５８】
そして、ステップＳ３０１において、ＣＰＵ７１は、操作者により撮影スイッチ８１ａが操作されて、撮影スイッチ８１ａの一段階目のスイッチであるスイッチＳＷ１がオンしたか否かを判断する。
この判断の結果、スイッチＳＷ１がオンしていない（即ちオフである）場合には、スイッチＳＷ１がオンするまで、ステップＳ３０１で待機する。
【００５９】
一方、ステップＳ３０１の判断の結果、スイッチＳＷ１がオンした場合には、ステップＳ３０２に進む。
ステップＳ３０２に進むと、ＣＰＵ７１は、被検眼Ｅの前眼部における測光処理を行う。この測光処理は、被検眼Ｅの前眼部の観察状態（具体的には、被検眼Ｅの前眼部が前眼照明赤外ＬＥＤ４３ｅ〜４３ｈからの赤外光で照明されている状態）で行われる。
【００６０】
続いて、ステップＳ３０３において、ＣＰＵ７１は、被検眼Ｅの前眼部における測距処理を行う。この測距処理は、被検眼Ｅの前眼部の観察状態（具体的には、被検眼Ｅの前眼部が前眼照明赤外ＬＥＤ４３ｅ〜４３ｈからの赤外光で照明されている状態）で行われる。
【００６１】
このステップＳ３０２及びＳ３０３における処理は、被検眼Ｅの前眼部の観察状態において撮像素子５５で得られた画像を、画像処理部７２を介して、ＣＰＵ７１によって処理することによりなされる。この際、上述したように、被検眼Ｅの前眼部は、前眼照明赤外ＬＥＤ４３ｅ〜４３ｈからの赤外光で照明されている状態である。したがって、このステップＳ３０２及びＳ３０３における処理で得られる測光値及び測距値は、赤外光に対して最適化されたものであり、赤外光による被検眼Ｅの前眼部の観察状態では最適なものであるが、白色光において撮影した場合には最適なものではない。即ち、ステップＳ３０２及びＳ３０３における処理は、被検眼Ｅの前眼部の観察状態において、被検眼Ｅの前眼部の最適な観察像（観察画像）を得るための処理である。
【００６２】
続いて、ステップＳ３０４において、ＣＰＵ７１は、操作者により撮影スイッチ８１ａが操作されて、撮影スイッチ８１ａの二段階目のスイッチであるスイッチＳＷ２がオンしたか否かを判断する。
この判断の結果、スイッチＳＷ２がオンしていない（即ちオフである）場合には、スイッチＳＷ２がオンするまで、ステップＳ３０４で待機する。
【００６３】
一方、ステップＳ３０４の判断の結果、スイッチＳＷ２がオンした場合には、ステップＳ３０５に進む。
ステップＳ３０５に進むと、ＣＰＵ７１は、前眼照明赤外ＬＥＤ４３ｅ〜４３ｈを消灯し、代わりに、前眼照明白色ＬＥＤ４３ａ〜４３ｄを点灯する制御を行う。
【００６４】
続いて、ステップＳ３０６において、ＣＰＵ７１は、被検眼Ｅの前眼部における測光処理を行う。この測光処理は、被検眼Ｅの前眼部の撮影動作（後工程のＳ３０８）における撮影条件の調整の１つであるＡＥ（自動露光量調整）を行うためのものである。
【００６５】
続いて、ステップＳ３０７において、ＣＰＵ７１は、被検眼Ｅの前眼部における測距処理を行う。この測距処理は、被検眼Ｅの前眼部の撮影動作（後工程のＳ３０８）における撮影条件の調整の１つであるＡＦ（自動焦点調整）を行うためのものである。
【００６６】
このステップＳ３０６及びＳ３０７における撮影条件調整処理は、ステップＳ３０５の処理後に撮像素子５５で得られた画像を、画像処理部７２を介して、ＣＰＵ７１によって処理することによりなされる。このステップＳ３０６及びＳ３０７における撮影条件調整処理を行うＣＰＵ７１は、撮影条件調整手段を構成する。
【００６７】
続いて、ステップＳ３０８において、ＣＰＵ７１は、ステップＳ３０５の状態（即ち、前眼照明赤外ＬＥＤ４３ｅ〜４３ｈを消灯し、撮影照明白色ＬＥＤ４３ａ〜４３ｄを点灯した状態）で、撮影動作を行う。このステップＳ３０８の撮影動作においては、ステップＳ３０６の処理により調整されたＡＥ（自動露光量調整）やステップＳ３０７の処理により調整されたＡＦ（自動焦点調整）等に基づく撮影が行われる。
【００６８】
その後、ステップＳ３０９において、ＣＰＵ７１は、ステップＳ３０８の撮影動作により得られた画像を記録媒体７４に記録し或いはモニタ７３に表示等した後、図６に示すフローチャートの処理を終了する。
【００６９】
本実施形態では、観察の終了後であって撮影の直前に、数十ｍｓｅｃ程度の白色光の発光を行うだけでＡＥ／ＡＦといった撮影条件の調整を行うことができるため、被検者にとって、より違和感のない好適な撮影を行うことができる。
本実施形態によれば、被検者が感じる眩しさを最小限に抑えつつ、ＡＥ／ＡＦといった撮影条件の調整の精度を高めることが可能となる。その結果、被検眼Ｅの前眼部における撮影を簡便かつ好適に行うことができるとともに、見えの良い前眼部画像を得ることができる。
【００７０】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記録媒体は、本発明に含まれる。
【００７１】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００７２】
１  ベース、２  顔受け、３  顎受け、４  ｚ−ｘステージ、５  ｙステージ、６  光学本体、８  操作部、１１  撮影光源、１２  撮影コンデンサレンズ、１３  撮影リングスリット、１４  撮影水晶体バッフル、２１  観察光源、２２  観察コンデンサレンズ、２３  観察リングスリット、２４  観察水晶体バッフル、３１  ダイクロイックミラー、３２  第１の照明リレーレンズ、３３  スプリットユニット、３３ａ  フォーカス指標光源、３３ｂ  プリズム、３３ｃ  フォーカス指標マスク、３４  第２の照明リレーレンズ、３５  角膜バッフル、４１  穴あきミラー、４２  対物レンズ、４３  前眼照明光源ユニット、４４  前眼照明光拡散板、５１  視度補正レンズ、５１ａ  凸レンズ、５１ｂ  凹レンズ、５２  フォーカスレンズ、５３  撮影レンズ、５４  ハーフミラー、５５  撮像素子、６１  内部固視灯ユニット、７１  ＣＰＵ、７２  画像処理部、７３  モニタ、７４  記録媒体、８１  ジョイスティック、８１ａ  撮影スイッチ、８１ｂ  上下動ダイアル、８１ｃ  フォーカスダイアル、８２  撮影モード切り換えスイッチ、１００  眼科撮像装置、Ｅ  被検眼
【図１】
2015027357.tif 000003
【図２】
2015027357.tif 000004
【図３】
2015027357.tif 000005
【図４】
2015027357.tif 000006
【図５】
2015027357.tif 000007
【図６】
2015027357.tif 000008